(57)【要約】【課題】タイル材の無駄を無くして製造コストを低減しつつ、意匠性を向上しうる。【解決手段】外壁パネル２の表面に、略矩形状のタイル材３が複数枚貼り付けられた外壁８を有する工業化住宅１である。外壁パネル２の縦寸法Ｌ１及び横寸法Ｌ２は、タイル材の割付寸法Ｗ１の縦寸法Ｍ１及び横寸法Ｍ２の整数倍の大きさに形成される。割付寸法Ｗ１は、タイル材３、３間に目地１４が形成される場合、一つのタイル材３及びそのタイル材３の周囲に配される目地１４の半幅を含む外径寸法とする。また、タイル材３、３間に目地１４が形成されない場合、タイル材３のみの外径寸法とする。【選択図】図２
2010203193.tif 000002
【特許請求の範囲】
【請求項１】
外壁パネルの表面に、略矩形状の複数のタイル材が貼り付けられた外壁を有する工業化住宅であって、
前記外壁パネルの縦寸法及び横寸法が、前記タイル材の割付寸法の縦寸法及び横寸法の整数倍であることを特徴とする工業化住宅。
【請求項２】
前記外壁パネルは、屋内外を貫通する開口部を有し、かつ
前記開口部は、前記タイル材の前記割付寸法で仮想区画されたグリッドラインに沿って開口することにより、前記開口部から外壁パネルの外縁までの周囲寸法が、前記割付寸法の前記縦寸法又は前記横寸法の整数倍である請求項１に記載の工業化住宅。
【請求項３】
前記タイル材は、前記割付寸法の第１のタイル材１種からなる請求項１又は２に記載の工業化住宅。
【請求項４】
前記タイル材は、前記割付寸法の第１のタイル材と、該第１のタイル材とは異なるとともに、前記外壁パネルに適合する割付寸法を有する第２のタイル材とからなる請求項１又は２に記載の工業化住宅。
【請求項５】
前記外壁パネル間を継ぐ出隅コーナ材又は入隅コーナ材には、前記割付寸法の前記縦寸法及び前記横寸法の整数倍で前記タイル材が貼り付けられる請求項１ないし４の何れかに記載の工業化住宅。
【請求項６】
前記外壁パネルは、表面に予め前記タイル材の割付位置を示す模様が付される請求項１ないし５の何れかに記載の工業化住宅。
【発明の詳細な説明】
【技術分野】
【０００１】
本発明は、製造コストを低減しつつ、意匠性を向上しうる工業化住宅に関する。
【背景技術】
【０００２】
近年では、外壁パネルの表面に、矩形状のタイル材が複数貼り付けられた外壁を有する工業化住宅が提案されている（例えば、特許文献１参照）。一般的に、タイル材は、外壁パネルの寸法を考慮して形成されないため、割付けには微調整が必要となる。
【０００３】
割付けを微調整する方法としては、例えば、図７（ａ）に示されるように、規定のタイル材ａを現場にてカットすることにより、水平方向の長さｅを短くしたカットタイル材ｂ（ハッチングを付して示される）を特定の列に割付ける方法や、図７（ｂ）に示されるように、外壁パネルｃの任意の位置に垂直方向にのびる通し目地ｄを設け、その目地幅ｆを変化させる方法等がある。
【先行技術文献】
【特許文献】
【０００４】
【特許文献１】特開２００６−９２７４号公報
【発明の概要】
【発明が解決しようとする課題】
【０００５】
しかしながら、図７（ａ）に示される方法では、タイル材ａを現場にて種々のサイズにカットするのに手間がかかるとともに、カットされた残りの部分のタイル材ａを廃棄する必要があり、コストが増大するという問題があった。また、図７（ｂ）に示される方法では、通し目地ｄの目地幅ｆが他の目地ｇと異なるため、タイル模様の連続性が損なわれ、意匠性を損なうという問題があった。特に、図７（ｂ）のようなタイル材ａが馬踏目地状に配される場合には、通し目地ｄが設けられることによって、タイル模様の連続性がさらに損なわれるという問題があった。
【０００６】
本発明は、以上のような実状に鑑み案出されたもので、外壁をなす外壁パネルの縦寸法及び横寸法を、タイル材の割付寸法の縦寸法及び横寸法の整数倍にすることを基本として、タイル材の無駄を無くして製造コストを低減しつつ、意匠性を向上しうる工業化住宅を提供することを主たる目的としている。
【課題を解決するための手段】
【０００７】
本発明のうち請求項１記載の発明は、外壁パネルの表面に、略矩形状の複数のタイル材が貼り付けられた外壁を有する工業化住宅であって、前記外壁パネルの縦寸法及び横寸法が、前記タイル材の割付寸法の縦寸法及び横寸法の整数倍であることを特徴とする。
【０００８】
また、請求項２記載の発明のように、前記外壁パネルは、屋内外を貫通する開口部を有し、かつ前記開口部は、前記タイル材の前記割付寸法で仮想区画されたグリッドラインに沿って開口することにより、前記開口部から外壁パネルの外縁までの周囲寸法が、前記割付寸法の前記縦寸法又は前記横寸法の整数倍であるのが望ましい。
【０００９】
また、請求項３記載の発明のように、前記タイル材は、前記割付寸法の第１のタイル材１種からなるのが望ましい。
【００１０】
また、請求項４記載の発明のように、前記タイル材は、前記割付寸法の第１のタイル材と、該第１のタイル材とは異なるとともに、前記外壁パネルに適合する割付寸法を有する第２のタイル材とからなるのが望ましい。
【００１１】
また、請求項５記載の発明のように、前記外壁パネル間を継ぐ出隅コーナ材又は入隅コーナ材は、前記割付寸法の前記縦寸法及び前記横寸法の整数倍であるのが望ましい。
【００１２】
また、請求項６記載の発明のように、前記外壁パネルは、表面に予め前記タイル材の割付位置を示す模様が付されるのが望ましい。
【発明の効果】
【００１３】
本発明の工業化住宅では、外壁パネルの縦寸法及び横寸法が、タイル材の割付寸法の縦寸法及び横寸法の整数倍とされる。これにより、外壁パネルにタイル材を貼り付ける際、タイル材をカットしたり、通し目地の目地幅を変える等の微調整をする必要が無く、タイル材を容易に隙間なく割付けることが可能になる。従って、製造コストを低減しうる。しかも、外壁パネルは、タイル材を同一目地間隔で無駄なく割付けできるとともに、タイル模様にズレがなく、連続性を得ることができるので、意匠性を向上しうる。また、タイル材の発注個数なども事前に計算できるので、費用の見積もりを容易にでき、無駄な発注を防ぐこともできる。
【図面の簡単な説明】
【００１４】
【図１】本発明の工業化住宅の一形態を例示する部分正面図である。
【図２】図１の外壁パネル及び出隅コーナ材を示す分解斜視図である。
【図３】タイル材を拡大して示す正面図である。
【図４】２種類のタイル材が貼り付けられた外壁パネルを拡大して示す正面図である。
【図５】本発明の工業化住宅の他の実施形態を例示する部分正面図である。
【図６】図５の外壁パネル及び出隅コーナ材を示す分解斜視図である。
【図７】（ａ）はカットされたタイル材が割付けられた外壁パネルを拡大して示す正面図、（ｂ）は垂直方向にのびる通し目地が設けられた外壁パネルを拡大して示す正面図である。
【発明を実施するための形態】
【００１５】
以下、本発明の実施の一形態が図面に基づき説明される。
図１には、本実施形態の工業化住宅の部分正面図、図２には、その外壁パネル、及び出隅コーナ材を示す分解斜視図が示される。
【００１６】
図１に示されるように、本実施形態の工業化住宅１は、外壁８をなす外壁パネル２、外壁パネル２、２間を継ぐ出隅コーナ材４、屋根材５、及び床パネル（図示省略）等の規格化された基本部材が予め工場で生産され、それらの基本部材を、現場にて組み立てることによって形成される。
【００１７】
本実施形態の外壁パネル２の表面には、横長矩形状の複数のタイル材３が貼り付けられる。図２に示されるように、前記外壁パネル２は、例えば、溝型鋼などの枠材が矩形に枠組みされた枠体１３に縦又は横の補強枠（図示省略）を加えたパネルフレーム１１と、該パネルフレーム１１の両面に添着され、かつ外縁部が枠体１３の外周部に揃えられた面材１２とを含んで形成される。
【００１８】
前記面材１２には、屋外側に配される外装板１２Ａと、屋内側に配される内装板１２Ｂとを含む、前記外装板１２Ａには、例えば、窯業系、金属系その他のサイディング板などが用いられる。また、内装板１２Ｂには、例えば、石膏ボード及び／又は合板等が用いられる。
【００１９】
また、本実施形態のタイル材３は、陶磁器から形成され、外装板１２Ａの表面に例えば変性シリコン系等の接着剤（図示省略）を介して、通し目地状に貼り付けられる。
【００２０】
前記外壁パネル２の縦寸法Ｌ１が、建物の階高と略同じ寸法に形成され、例えば、２５００〜３５００mm程度、本形態では２９００mmに設定されている。また、外壁パネル２の横寸法Ｌ２は、例えば１モジュールを９００mmとすると、その整数倍の寸法、例えば１８００mm、２７００mm、又は３６００mm…などの大きさに形成される。本実施形態の横寸法Ｌ２は、３６００mmに形成される。
【００２１】
また、図２及び図３に示されるように、本実施形態の外壁パネル２の縦寸法Ｌ１及び横寸法Ｌ２は、タイル材３の割付寸法Ｗ１の縦寸法Ｍ１及び横寸法Ｍ２のそれぞれ整数倍に設定される。前記「割付寸法Ｗ１」は、図３に示されるように、タイル材３、３の間に目地１４が形成される場合、一つのタイル材３及びそのタイル材３の周囲に配される目地１４の半幅を含む外径寸法とする。また、タイル材３、３の間に目地１４が形成されない場合、タイル材３のみの外径寸法とする。
【００２２】
前記外壁パネル２の縦寸法Ｌ１は、割付寸法Ｗ１の縦寸法Ｍ１の整数倍とされ、例えば、１０倍、２０倍、又は３０倍…などの大きさに設定され、本実施形態では５４倍に形成される。また、本実施形態の壁パネルの横寸法Ｌ２は、割付寸法Ｗ１の横寸法Ｍ２の整数倍とされ、本実施形態では２４倍に形成される。なお、外壁パネル２の縦横比は、割付寸法Ｗ１と異なってもよいことは言うまでもない。
【００２３】
このように、本実施形態の工業化住宅１では、従来のように、タイル材３を現場にて中途半端にカットしたり、目地１４の幅を変える等の微調整をすることなく、該タイル材３を外壁パネル２に、隙間なく容易に割付ける事ができるので、無駄を無くし製造コストを低減しうる。しかも、外壁パネル２は、タイル材３が同一目地間隔で隙間なく割付けられるとともに、そのタイル模様にズレがなく、連続性を得ることができるので、意匠性を向上しうる。さらに、タイル材３の発注個数なども事前に計算できるので、費用の見積もりを容易にでき、無駄な発注を防ぐことができる。
【００２４】
なお、本実施形態のタイル材３は、割付寸法Ｗ１の第１のタイル材３Ａの１種から構成されるので、タイル材３の種類が増えることによる割付作業の煩雑化や、製造コストの増大を抑制できる。
【００２５】
また、図２に示されるように、本実施形態の外壁パネル２には、屋内外を貫通する開口部１５が形成されている。この開口部１５は、タイル材３の割付寸法Ｗ１で仮想区画されたグリッドラインＧＬ１に沿って開口されるのが好ましい。これにより、開口部１５から外壁パネル２の外縁までの周囲寸法が、割付寸法Ｗ１の縦寸法Ｍ１又は横寸法Ｍ２の整数倍に設定される。
【００２６】
前記周囲寸法は、図において、開口部１５の上縁１５ｕから外壁パネル２の上縁２ｕまでの上側寸法Ｌ３、開口部１５の下縁１５ｄから外壁パネル２の下縁２ｄまでの下側寸法Ｌ４、開口部１５の右縁１５ｒから外壁パネル２の右縁２ｒまでの右側寸法Ｌ５、開口部１５の左縁１５ｌから外壁パネル２の左縁２ｌまでの左側寸法Ｌ６とする。上側及び下側寸法Ｌ３、Ｌ４は、夫々割付寸法Ｗ１の縦寸法Ｍ１の整数倍に設定される。また、右側及び左側寸法Ｌ５、Ｌ６は、夫々割付寸法Ｗ１の横寸法Ｍ２の整数倍に設定される。これにより、外壁パネル２に開口部１５を設けた場合であっても、タイル材３の割付けを容易にできるとともに、タイル模様の連続性を得ることができる。
【００２７】
図４に示されるように、外壁パネル２の表面には、予めタイル材３の割付位置を示す、例えばタイル材３の割付寸法Ｗ１のコーナ位置を示す「＋」等の模様１６が付されるのが好ましい。これにより、作業者は、現場にて前記模様１６を基準として、タイル材３を精度良く位置決めして貼り付けることができる。従って、仕上がりを高め、かつ施工効率を向上しうる。
【００２８】
また、１枚の外壁パネル２には、第１のタイル材３Ａと、該第１のタイル材３Ａとは異なる大きさの第２のタイル材３Ｂとを混合して割付けることもできる。本実施形態では、第２のタイル材３Ｂは、例えば、開口部１５の周囲に貼り付けられている。本実施形態の第２のタイル材３Ｂは、割付寸法Ｗ１の半分の大きさの第２の割付寸法Ｗ２を有して形成される。具体的には、第２の割付寸法Ｗ２の横寸法が、割付寸法Ｗ１の横寸法Ｍ２の１／２である。このような第２のタイル材３Ｂも、外壁パネル２に隙間なく割付けることができるので、第１のタイル材３Ａとともに、外壁パネル２に適合できる。このように、外壁パネル２には、第１、第２のタイル材３Ａ、３Ｂからなる異種のタイル材３を混合して割付けできるので、バリエーションに富んだタイル模様を容易に形成できる。また、第２のタイル材３Ｂは、例えば、馬踏目地状に割付けた場合、外壁パネル２の端部等に好適に利用できる。なお、第２のタイル材３Ｂは、予め工場等でカットされていれば、現場にてカットする必要がないため、施工効率を向上しうる点で好ましい。
【００２９】
図２に示されるように、本実施形態の出隅コーナ材４、または入隅コーナ材（図示省略）の縦寸法Ｌ７及び横寸法Ｌ８は、割付寸法Ｗ１の縦寸法Ｍ１及び横寸法Ｍ２の整数倍であるのが好ましい。これにより、タイル材３を現場にて中途半端にカットしたり、目地１４の幅を変える等の微調整をすることなく、該タイル材３を出隅コーナ材４及び入隅コーナ材に、隙間なく容易に割付けることができるとともに、タイル模様を連続させることができる。
【００３０】
図５には、本発明の工業化住宅１の他の実施形態を例示する部分正面図、図６には、その外壁パネル２の斜視図が示される。この実施形態の外壁パネル２には、第１、第２のタイル材３Ａ、３Ｂが、馬踏目地状に貼り付けられている。この実施形態の開口部１５は、第２の割付寸法Ｗ２の第２のグリッドラインＧＬ２に沿って開口することにより、第１、第２のタイル材３Ａ、３Ｂを容易に割付けできる。なお、この例では、外壁パネル２、出隅コーナ材４、４に、第１、第２のタイル材３Ａ、３Ｂを連続させて割付けているので、馬踏目地状のタイル模様を連続させることができる。
【００３１】
以上、本発明の特に好ましい実施形態について詳述したが、本発明は図示の実施形態に限定されることなく、種々の態様に変形して実施しうる。
【符号の説明】
【００３２】
１    工業化住宅
２    外壁パネル
３    タイル材
８    外壁
【図１】
2010203193.tif 000003
【図２】
2010203193.tif 000004
【図３】
2010203193.tif 000005
【図４】
2010203193.tif 000006
【図５】
2010203193.tif 000007
【図６】
2010203193.tif 000008
【図７】
2010203193.tif 000009